【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
ホームｅＮＢ（ＨｅＮＢ）を含む無線通信システムで端末（Ｕｓｅｒ  Ｅｑｕｉｐｍｅｎｔ、ＵＥ）のハンドオーバー方法において、
セルＩＤ（Ｃｅｌｌ  ＩＤ）、トラッキングエリアＩＤ（ＴＡＩ）及び閉鎖加入者グループ（Ｃｌｏｓｅｄ  Ｓｕｂｓｃｒｉｂｅｄ  Ｇｒｏｕｐ、ＣＳＧ）ＩＤを含むシステム情報をターゲットＨｅＮＢから受信する段階と；
前記システム情報受信に対応して、メンバー指示子、前記ターゲットＨｅＮＢのセルＩＤ、トラッキングエリアＩＤ（ＴＡＩ）及び閉鎖加入者グループ（Ｃｌｏｓｅｄ  Ｓｕｂｓｃｒｉｂｅｄ  Ｇｒｏｕｐ、ＣＳＧ）ＩＤを含む測定報告をソース基地局（ｅＮＢ）に伝送する段階と；
前記ソース基地局からハンドオーバー命令メッセージを受信する段階と；
前記ターゲットＨｅＮＢにハンドオーバーを行う段階と；を含むことを特徴とする端末のハンドオーバー方法。
【請求項２】
前記ソース基地局から、前記ターゲットＨｅＮＢのシステム情報受信のための設定情報（ｃｏｎｆｉｇｕｒａｔｉｏｎ）を受信する段階をさらに含むことを特徴とする請求項１に記載の端末のハンドオーバー方法。
【請求項３】
前記ハンドオーバー命令メッセージは、
前記ソース基地局に伝送されたＣＳＧ  ＩＤが検証された場合、前記ソース基地局から受信されることを特徴とする請求項１に記載の端末のハンドオーバー方法。
【請求項４】
前記ＣＳＧ  ＩＤは、前記ターゲットＨｅＮＢにより検証されることを特徴とする請求項３に記載の端末のハンドオーバー方法。
【請求項５】
ホームｅＮＢ（ＨｅＮＢ）を含む無線通信システムで移動性管理エンティティー（Ｍｏｂｉｌｉｔｙ  Ｍａｎａｇｅｍｅｎｔ  Ｅｎｔｉｔｙ、ＭＭＥ）のハンドオーバーサポート方法において、
端末（Ｕｓｅｒ  Ｅｑｕｉｐｍｅｎｔ、ＵＥ）に対するターゲットＨｅＮＢの閉鎖加入者グループ（Ｃｌｏｓｅｄ  Ｓｕｂｓｃｒｉｂｅｄ  Ｇｒｏｕｐ、ＣＳＧ）ＩＤ及びターゲットセルＩＤを含むハンドオーバー要求メッセージ（Ｈａｎｄｏｖｅｒ  Ｒｅｑｕｉｒｅｄ  ｍｅｓｓａｇｅ）をソース基地局（ｅＮＢ）から受信する段階と；
前記ハンドオーバー要求メッセージに含まれたＣＳＧ  ＩＤ及び前記端末に対して保存されたＣＳＧ加入データに基盤して、前記端末の前記ＨｅＮＢへのアクセスコントロールを行う段階と；
前記ターゲットＨｅＮＢのＣＳＧ  ＩＤを含むハンドオーバー要請メッセージ（Ｈａｎｄｏｖｅｒ  Ｒｅｑｕｅｓｔ  ｍｅｓｓａｇｅ）を前記ターゲットＨｅＮＢに伝送する段階と；
前記ターゲットＨｅＮＢからハンドオーバー要請確認メッセージ受信時に、ハンドオーバー命令メッセージを前記ソース基地局に伝送する段階と；を含むことを特徴とするＭＭＥのハンドオーバーサポート方法。
【請求項６】
前記ハンドオーバー要請メッセージに含まれたＣＳＧ  ＩＤは、
前記ハンドオーバー要請メッセージに含まれたＣＳＧ  ＩＤが前記ターゲットＨｅＮＢから放送されるＣＳＧ  ＩＤと一致するかを検証するに使用されることを特徴とする請求項５に記載のＭＭＥのハンドオーバーサポート方法。
【請求項７】
無線通信システムでホームｅＮＢ（ＨｅＮＢ）のハンドオーバーサポート方法において、
端末（Ｕｓｅｒ  Ｅｑｕｉｐｍｅｎｔ、ＵＥ）により獲得された閉鎖加入者グループ（Ｃｌｏｓｅｄ  Ｓｕｂｓｃｒｉｂｅｄ  Ｇｒｏｕｐ、ＣＳＧ）ＩＤを含むハンドオーバー要請メッセージを移動性管理エンティティー（Ｍｏｂｉｌｉｔｙ  Ｍａｎａｇｅｍｅｎｔ Ｅｎｔｉｔｙ、ＭＭＥ）から受信する段階と；
前記ハンドオーバー要請メッセージに含まれたＣＳＧ  ＩＤが前記ＨｅＮＢのＣＳＧ  ＩＤと一致するかを判断する段階と；
前記ハンドオーバー要請メッセージに含まれたＣＳＧ  ＩＤが前記ＨｅＮＢのＣＳＧ  ＩＤと一致する場合、前記ＭＭＥにハンドオーバー要請確認メッセージを伝送する段階と；を含むことを特徴とするＨｅＮＢのハンドオーバーサポート方法。
【請求項８】
前記ＨｅＮＢのセルＩＤ（Ｃｅｌｌ  ＩＤ）、トラッキングエリアＩＤ（ＴＡＩ）及び閉鎖加入者グループ（Ｃｌｏｓｅｄ  Ｓｕｂｓｃｒｉｂｅｄ  Ｇｒｏｕｐ、ＣＳＧ）ＩＤを含むシステム情報を放送する段階をさらに含むことを特徴とする請求項７に記載のＨｅＮＢのハンドオーバーサポート方法。
【請求項９】
ホームｅＮＢ（ＨｅＮＢ）を含む無線通信システムにハンドオーバーを行う端末（Ｕｓｅｒ  Ｅｑｕｉｐｍｅｎｔ、ＵＥ）において、
信号を送受信する送受信機と；
セルＩＤ（Ｃｅｌｌ  ＩＤ）、トラッキングエリアＩＤ（ＴＡＩ）及び閉鎖加入者グループ（Ｃｌｏｓｅｄ  Ｓｕｂｓｃｒｉｂｅｄ  Ｇｒｏｕｐ、ＣＳＧ）ＩＤを含むシステム情報をターゲットＨｅＮＢから受信し、前記システム情報受信に対応して、メンバー指示子、前記ターゲットＨｅＮＢのセルＩＤ、トラッキングエリアＩＤ（ＴＡＩ）及び閉鎖加入者グループ（Ｃｌｏｓｅｄ  Ｓｕｂｓｃｒｉｂｅｄ  Ｇｒｏｕｐ、ＣＳＧ）ＩＤを含む測定報告をソース基地局（ｅＮＢ）に伝送し、前記ソース基地局からハンドオーバー命令メッセージを受信し、前記ターゲットＨｅＮＢにハンドオーバーを行うように制御する制御部と；を含むことを特徴とする端末。
【請求項１０】
前記制御部は、
前記ソース基地局から、前記ターゲットＨｅＮＢのシステム情報受信のための設定情報（ｃｏｎｆｉｇｕｒａｔｉｏｎ）を受信するように制御することを特徴とする請求項９に記載の端末。
【請求項１１】
前記ハンドオーバー命令メッセージは、
前記ソース基地局に伝送されたＣＳＧ  ＩＤが検証された場合、前記ソース基地局から受信されることを特徴とする請求項９に記載の端末。
【請求項１２】
前記ＣＳＧ  ＩＤは、前記ターゲットＨｅＮＢにより検証されることを特徴とする請求項１１に記載の端末。
【請求項１３】
ホームｅＮＢ（ＨｅＮＢ）を含む無線通信システムで端末（Ｕｓｅｒ  Ｅｑｕｉｐｍｅｎｔ、ＵＥ）のハンドオーバーを支援する移動性管理エンティティー（Ｍｏｂｉｌｉｔｙ  Ｍａｎａｇｅｍｅｎｔ  Ｅｎｔｉｔｙ、ＭＭＥ）において、
信号を送受信する送受信部と；
端末（Ｕｓｅｒ  Ｅｑｕｉｐｍｅｎｔ、ＵＥ）に対するターゲットＨｅＮＢの閉鎖加入者グループ（Ｃｌｏｓｅｄ  Ｓｕｂｓｃｒｉｂｅｄ  Ｇｒｏｕｐ、ＣＳＧ）ＩＤ及びターゲットセルＩＤを含むハンドオーバー要求メッセージ（Ｈａｎｄｏｖｅｒ  Ｒｅｑｕｉｒｅｄ  ｍｅｓｓａｇｅ）をソース基地局（ｅＮＢ）から受信し、前記ハンドオーバー要求メッセージに含まれたＣＳＧ  ＩＤ及び前記端末に対して保存されたＣＳＧ加入データに基盤して前記端末の前記ＨｅＮＢへのアクセスコントロールを行い、前記ターゲットＨｅＮＢのＣＳＧ  ＩＤを含むハンドオーバー要請メッセージ（Ｈａｎｄｏｖｅｒ  Ｒｅｑｕｅｓｔ  ｍｅｓｓａｇｅ）を前記ターゲットＨｅＮＢに伝送し、前記ターゲットＨｅＮＢからハンドオーバー要請確認メッセージ受信時にハンドオーバー命令メッセージを前記ソース基地局に伝送するように制御する制御部と；を含むことを特徴とするＭＭＥ。
【請求項１４】
前記ハンドオーバー要請メッセージに含まれたＣＳＧ  ＩＤは、
前記ハンドオーバー要請メッセージに含まれたＣＳＧ  ＩＤが前記ターゲットＨｅＮＢから放送されるＣＳＧ  ＩＤと一致するかを検証するに使用されることを特徴とする請求項１３に記載のＭＭＥ。
【請求項１５】
無線通信システムで端末（Ｕｓｅｒ  Ｅｑｕｉｐｍｅｎｔ、ＵＥ）のハンドオーバーを支援するホームｅＮＢ（ＨｅＮＢ）において、
信号を送受信する送受信部と；
端末（Ｕｓｅｒ  Ｅｑｕｉｐｍｅｎｔ、ＵＥ）により獲得された閉鎖加入者グループ（Ｃｌｏｓｅｄ  Ｓｕｂｓｃｒｉｂｅｄ  Ｇｒｏｕｐ、ＣＳＧ）ＩＤを含むハンドオーバー要請メッセージを移動性管理エンティティー（Ｍｏｂｉｌｉｔｙ  Ｍａｎａｇｅｍｅｎｔ  Ｅｎｔｉｔｙ、ＭＭＥ）から受信し、前記ハンドオーバー要請メッセージに含まれたＣＳＧ  ＩＤが前記ＨｅＮＢのＣＳＧ  ＩＤと一致するかを判断し、前記ハンドオーバー要請メッセージに含まれたＣＳＧ  ＩＤが前記ＨｅＮＢのＣＳＧ  ＩＤと一致する場合、前記ＭＭＥにハンドオーバー要請確認メッセージを伝送するように制御する制御部と；を含むことを特徴とするＨｅＮＢ。
【請求項１６】
前記制御部は、
前記ＨｅＮＢのセルＩＤ（Ｃｅｌｌ  ＩＤ）、トラッキングエリアＩＤ（ＴＡＩ）及び閉鎖加入者グループ（Ｃｌｏｓｅｄ  Ｓｕｂｓｃｒｉｂｅｄ  Ｇｒｏｕｐ、ＣＳＧ）ＩＤを含むシステム情報を放送するように制御することを特徴とする請求項１５に記載のＨｅＮＢ。